(57)【特許請求の範囲】
【請求項１】
断面円形の光ファイバケーブルの外周を固定する光ファイバケーブル固定部と、光ファイバケーブルのテンションメンバを固定するテンションメンバ固定部とを備えた光ファイバケーブル固定具において、前記光ファイバケーブル固定部の下部に、ドロップ光ケーブルを挿入して固定するドロップ光ケーブル固定部を併設し、該ドロップ光ケーブル固定部は溝壁を備え、この溝壁に光ファイバケーブル固定用のバンド挿通口を設けたことを特徴とする光ファイバケーブル固定具。
【請求項２】
テンションメンバ固定部が、テンションメンバ挿入孔を備えた樹脂製の固定ブロックと、その固定ブロックの外側に取り付けられる下面に開口部を有する箱状金具とからなり、前記固定ブロックは上面に固定ねじの貫通孔を備えるとともに、基部には前記箱状金具をスライド可能に嵌合させるスライド溝を備え、前記箱状金具の上面には前記貫通孔を貫通してテンションメンバを固定する固定ネジのねじ孔が形成されていることを特徴とする請求項１記載の光ファイバケーブル固定具。
【発明の詳細な説明】
【技術分野】
【０００１】
本発明は光ファイバケーブル固定具に関するものである。
【背景技術】
【０００２】
光ファイバケーブルは一般に、光ファイバ心線と、テンションメンバと、シースなどから構成された断面が円形のものである。加入者系光ファイバケーブル線路においては、光ファイバケーブルから分岐されたドロップ光ケーブルが需要家に引き込まれる。光ファイバケーブルとドロップ光ケーブルはその内部構造の相違により、断面形状が異なっており、ドロップ光ケーブルの断面形状は角型である。
【０００３】
光ファイバケーブルを光接続箱に引き込む場合に、箱体にはケーブルを固定する固定具を設ける必要があった。光ファイバケーブルの固定具は光ファイバケーブル固定部と光ファイバケーブルの中心線であるテンションメンバを固定するテンションメンバ固定部が一体になったものであった（特許文献1）。
【０００４】
しかし、2芯や４芯の光ファイバ心線を直線状に配置したドロップ光ケーブルを固定するには、前記断面形状の相違により、光ファイバケーブルに用いる固定具を用いることはできず、別部材のドロップ光ケーブル固定具が必要であった（特許文献2）。
【０００５】
このため、光ファイバケーブル固定具とドロップ光ケーブル固定具を別々に用意して使い分けなければならず、部品管理が煩雑で、設置後の変更では新規に部品を用意しなければならず手間であった。
【特許文献１】特開平10-332947公報
【特許文献２】特開2005-70293公報
【発明の開示】
【発明が解決しようとする課題】
【０００６】
従って本発明の目的は、光ファイバケーブルとドロップ光ケーブルを一部材で固定できる光ファイバケーブル固定具を提供することである。
【課題を解決するための手段】
【０００７】
上記課題を解決するためになされた本発明の固定具は、断面円形の光ファイバケーブルの外周を固定する光ファイバケーブル固定部と、光ファイバケーブルのテンションメンバを固定するテンションメンバ固定部とを備えた光ファイバケーブル固定具において、前記光ファイバケーブル固定部の下部に、ドロップ光ケーブルを挿入して固定するドロップ光ケーブル固定部を併設し、該ドロップ光ケーブル固定部は溝壁を備え、この溝壁に光ファイバケーブル固定用のバンド挿通口を設けたことを特徴とするものである。
【０００８】
テンションメンバ固定部は、テンションメンバ挿入孔を備えた樹脂製の固定ブロックと、その固定ブロックの外側に取り付けられる下面に開口部を有する箱状金具とからなり、前記固定ブロックは上面に固定ねじの貫通孔を備えるとともに、基部には前記箱状金具をスライド可能に嵌合させるスライド溝を備え、前記箱状金具の上面には前記貫通孔を貫通してテンションメンバを固定する固定ネジのねじ孔が形成されている構造とすることができる。なお、テンションメンバ挿入口は平板を挿入できるスペースを設けた構造とすることができる。テンションメンバ固定部にはアース用のネジ穴を設けることができる。
【発明の効果】
【０００９】
本発明の固定具は上述のように構成されているので、断面円形の光ファイバケーブルの固定と、ドロップ光ケーブルの固定が単一の固定具によって可能となる。このため各ケーブルに対応した固定具を用意して使い分ける必要がなくなる。これにより複数固定具の部品管理が煩雑であった問題や、設置後の変更では新規に部品を用意しなければならず手間であったという問題が解消される。
【００１０】
請求項２のように、ドロップ光ケーブル固定部を、光ファイバケーブル固定部の下部に設けることにより、固定具の小型化が可能となる。また請求項３のように、ドロップ光ケーブル固定部の溝壁に光ケーブル固定用のバンド挿入口を設けることによって、その上方の光ファイバケーブル固定部に載せられた断面円形の光ファイバケーブルをバンドによって固定することができ、しかも固定具の小型化が可能となる。
【００１１】
本発明の固定具は上述のテンションメンバ固定部を有するため、固定の箱状金具を簡単に取り付けることができるとともに絶縁をとることができるものである。また、テンションメンバ挿入口に設けたスペースに平板を挿入すると、ＦＲＰ製テンションメンバの固定が必要な場合においても対応が可能となる。
【発明を実施するための最良の形態】
【００１２】
以下に本発明の好ましい実施形態を説明する。
本発明にかかる光ファイバケーブルの固定具は図１に示すように、合成樹脂製の細長い固定台17上に、光ファイバケーブル固定部1とテンションメンバ固定部2とドロップ光ケーブル固定部3を備えている。
【００１３】
光ファイバケーブル固定部1には、図１、図２に示すように、外側及び内側の溝壁25,26と、中央の溝壁27とが突設されている。外側及び内側の溝壁25,26は左右対称に形成されている。これらのうち、内側の溝壁26の上面は、中心に向かってゆるやかに傾斜した斜面または円弧面となっていて、図６に示すように断面円形の光ファイバケーブル18を受けることができる光ファイバケーブル固定部1を構成している。
【００１４】
またこの光ファイバケーブル固定部1の下部には、4列のドロップ光ケーブル固定部3が併設されている。ドロップ光ケーブル固定部3は上記した溝壁25,26,27の間に形成された４列の凹部3ａと、各溝壁25,26,27の側面に一定間隔で設けられた三角柱状の突起３ｂとからなる。各凹部3ａは図７に示すように、断面が角型のドロップケーブル20がガタつきなく入る幅であり、三角柱状の突起３ｂによりドロップ光ケーブル20を確実に固定する構造を有している。この実施形態ではドロップ光ケーブル固定部3は4列としたが、列数は任意であって２列であってもよい。
【００１５】
光ファイバケーブル固定部1の中央部には、ねじ挿通孔が形成されており、図２に示すように固定台17を光接続箱21等に固定するための取付ねじ4を挿入することができる。この取付ねじ4の頭部は固定台17の内部に入るようにしておくとともに、中央のドロップ光ケーブル固定部３の底面をテンションメンバ固定部２に向かう方向に上がる傾斜を設けており、ドロップケーブル20と干渉しないようにしておく。
【００１６】
またドロップ光ケーブル固定部3の内側の溝壁26に、光ファイバケーブル固定用のバンド挿通口6が形成されている。このため図５に示すように、光ファイバケーブル固定部1に乗せられた断面円形の光ファイバケーブル１８を、バンド7によって固定することができる。
【００１７】
固定台17の他端側には光ケーブルのテンションメンバ固定部2が備えられている。
図３、図４に示すように、テンションメンバ固定部2はテンションメンバ挿入孔9を備えた樹脂製の固定ブロック8と、その固定ブロック8の外側に取り付けられる下面に開口部を有する箱状金具12を有している。固定ブロック8はその基部にスライド溝11を備え、箱状金具12をスライド可能に嵌合させることができる。
【００１８】
前記固定ブロック8は上面に固定ねじの貫通孔10を備える。また箱状金具の上面には、この貫通孔10を貫通してテンションメンバ１９を固定する固定ネジ13のねじ孔14が形成されている。このため、貫通孔10とねじ孔14とが一致する位置まで箱状金具12をスライドさせ、図４、図５のように固定ネジ13をねじ込めば、絶縁された状態でテンションメンバ１９を固定することができる。
【００１９】
なお、ＦＰＲ製テンションメンバの固定が必要な場合には固定ブロック8のテンションメンバ挿入孔9には、図４に示すように平板40を挿入するスペース16が設けられているので、平板40を介してテンションメンバ１９を押し付け、固定できる構造となっている。また、図３に示すように箱状金具12の上端を光ファイバケーブル固定部1の方向に突出させ、アース用のネジ穴15を設けることができる。また、テンションメンバ挿入口９の下部は、テンションメンバ１９が左右に偏らずに、固定ねじ１３の直下になるように傾斜部９ａが設けられ、固定ねじ１３によって適確に締め付けできるようになっている。
【００２０】
次に以上のように構成された光ファイバケーブル固定具の使用方法を説明する。
図８に示すように、固定台17は予め光接続箱にねじ止めにより固定される。断面円形の光ファイバケーブル18を固定する場合には、光ファイバケーブル18の端部のシースを剥いでテンションメンバ19を露出させ、テンションメンバ19の先端部分をテンションメンバ固定部2のテンションメンバ挿入孔9に挿入する。その後固定ネジ13を締め付けてテンションメンバ19を固定する。テンションメンバ挿入口9には平板40を挿入できるスペース１６が設けられているため、ＦＲＰ製テンションメンバの時にはねじの下に平板40を挿入すればテンションメンバ19は適切に固定される。
【００２１】
光ファイバケーブル18のシース部分を光ファイバケーブル固定部1にセットした後、図５に示すようにバンド挿入口6に通したバンド7で固定する。なお、バンドに代えて、固定金具を上方から被せるようにして固定部に設けた係止部に係止するようにしてもよい。
【００２２】
また本発明の光ファイバケーブル固定具をドロップケーブル固定用に用いる場合には、図７に示すようにドロップ光ケーブル固定部3に断面角型のドロップ光ケーブル20を挿入し、把持固定させることができる。
【図面の簡単な説明】
【００２３】
【図１】本発明にかかる光ファイバケーブル固定具を示す全体斜視図である。
【図２】光ファイバケーブル固定部とドロップ光ケーブル固定部を示す斜視図である。
【図３】テンションメンバ固定部の分解斜視図である。
【図４】テンションメンバ固定部の正面図である。
【図５】光ファイバケーブル固定具に光ファイバケーブルを固定した状態を示す斜視図である。
【図６】光ファイバケーブル固定具に光ファイバケーブルを固定した状態を示す正面図である。
【図７】光ファイバケーブル固定具にドロップ光ケーブルを固定した状態を示す斜視図である。
【図８】本発明にかかる光ファイバケーブル固定具を光接続箱に取り付けた状態を示す斜視図である。
【符号の説明】
【００２４】
1：光ファイバケーブル固定部
2：テンションメンバ固定部
3：ドロップ光ケーブル固定部
3ａ：凹部
3ｂ：突起
4：取付ねじ
6：バンド挿入口
7：バンド
8：固定ブロック
9：テンションメンバ挿入孔
9ａ：傾斜部
10：固定ネジ孔
11：スライド溝
12：箱状金具
13：固定ネジ
14：ネジ孔
15：アース用のネジ穴
16：スペース
17：固定台
18：光ファイバケーブル
19：テンションメンバ
20：ドロップ光ケーブル
21：光接続箱
22：光ファイバケーブル固定具
25：溝壁
26：溝壁
27：溝壁
40：平板
【図１】
0005100328.tif 000002
【図２】
0005100328.tif 000003
【図３】
0005100328.tif 000004
【図４】
0005100328.tif 000005
【図５】
0005100328.tif 000006
【図６】
0005100328.tif 000007
【図７】
0005100328.tif 000008
【図８】
0005100328.tif 000009